(57)【要約】      （修正有）【課題】施工コストを抑制することができ、施工期間も短縮することができる地盤改良方法を提供する。【解決手段】地盤改良方法は、バーチカルドレーン２同士の中間付近の地盤１に、ドレーン施工機材によって長尺な空のケーシングパイプ３を鉛直方向に打設して周囲の地盤１を加圧する工程を含む。前記ドレーン施工機材は、バイブロハンマーを備え、ケーシングパイプ３を打設する際のバイブロハンマーによる振動によって、バーチカルドレーン２の周辺に地盤中の水分を集める。【選択図】図１
2020169534.tif 000002
【特許請求の範囲】
【請求項１】
改良すべき地盤に、非排土式のドレーン施工機材によって複数のバーチカルドレーンを形成し、このバーチカルドレーンから地盤中の間隙水を排出する地盤改良方法であって、
隣接する前記バーチカルドレーン同士の中間付近の地盤に、前記ドレーン施工機材によって長尺な空のケーシングパイプを鉛直方向に打設して周囲の地盤を加圧する工程を含むことを特徴とする地盤改良方法。
【請求項２】
前記ドレーン施工機材はバイブロハンマーを備え、前記ケーシングパイプを打設する際のバイブロハンマーによる振動によって、前記バーチカルドレーンの周辺に地盤中の水分を集めることを特徴とする請求項１の地盤改良方法。
【発明の詳細な説明】
【技術分野】
【０００１】
本発明は、非排土式ドレーン施工機材を利用して事前荷重を載荷する地盤改良方法に関する。
【背景技術】
【０００２】
従来、主に粘性土からなる地盤の上部に建物などを構築する場合、支持力を増加させ、建物を構築した後の地盤沈下を防止する等のために、バーチカルドレーン工法とプレロード工法とを併用することが一般的である。
【０００３】
ここで、バーチカルドレーン工法とは、砂やボード状の厚紙など透水性を有する材料を地盤中に鉛直に延在させ、これら透水性材料からなる排水路（ドレーン）を通じて地盤内の間隙水を地盤外に排出することで地盤を改良する工法である。かつては、ドレーンからの排土を行う排土式の施工方法が一般的であったが、その排土の不便さを解消するため、非排土式の施工方法と変わってきた。
【０００４】
また、プレロード工法とは、入手及び運搬が容易である土砂等による荷重を地表面に載荷することで地盤を早期に圧密化して硬化する工法である。そして、プレロード（事前載圧荷重）の方法としては、（１）盛土工法、（２）大気圧工法、（３）地下水位低下工法、（４）（１）〜（３）の併用工法が知られている。
【０００５】
このようなバーチカルドレーン工法とプレロード工法とを併用した工法によれば、地盤内水分をドレーンにより排出しつつ地盤を硬化させることができる。
【０００６】
一方、例えば、流体が注入されることにより膨らむ袋体を地盤内に配設し、地盤内に配設された袋体に流体を注入して袋体を膨らませ、膨らんだ袋体の圧力によって袋体周囲の地盤を加圧する地盤の改良方法も提案されている（特許文献１）。
【先行技術文献】
【特許文献】
【０００７】
【特許文献１】特開2003‐293355号公報
【発明の概要】
【発明が解決しようとする課題】
【０００８】
しかしながら、従来のバーチカルドレーン工法とプレロード工法（例えば盛土工法）とを併用する工法の場合、プレロードのための盛土を造成するための施工コストを抑制することが容易でなく、施工期間も長期化しやすいという問題点があった。また、地表面に載置する単位面積当たりの荷重を増やすには土砂等を鉛直上方に積み重ねる必要があるため、荷重の大きさに実用上限界があり、改良すべき地盤を硬化させるのに必要な荷重を加えることができず、地盤を十分に硬化できない場合があった。さらに、地表面に積み重ねられた土砂等から荷重を受けた地盤が沈下し、改良されるべき地盤に隣接する地盤がつられて沈下することが懸念されている。
【０００９】
一方、例えば、特許文献１の方法の場合、特殊な袋体を地盤内に配設し、この袋体にセメントミルクなどの固化剤を注入するための別途の設備を導入する必要があるため、依然として施工コストが高く、施工期間も十分に短縮できないという問題がある。
【００１０】
本発明は、以上のような事情に鑑みてなされたものであり、バーチカルドレーン工法による地盤改良方法において、施工コストを抑制することができ、施工期間も短縮することができる地盤改良方法を提供することを課題としている。
【課題を解決するための手段】
【００１１】
本発明は、改良すべき地盤に、非排土式のドレーン施工機材によって複数のバーチカルドレーンを形成し、このバーチカルドレーンから地盤中の間隙水を排出する地盤改良方法であって、
隣接する前記バーチカルドレーン同士の中間付近の地盤に、前記ドレーン施工機材によって長尺な空のケーシングパイプを鉛直方向に打設して周囲の地盤を加圧する工程を含むことを特徴としている。
【００１２】
この地盤改良方法では、前記ドレーン施工機材はバイブロハンマーを備え、前記ケーシングパイプを打設する際のバイブロハンマーによる振動によって、前記バーチカルドレーンの周辺に地盤中の水分を集めることが好ましい。
【発明の効果】
【００１３】
本発明の施工方法によれば、改良すべき地盤を確実に圧密化であるとともに、施工コストを抑制することができ、施工期間も短縮することができる。
【図面の簡単な説明】
【００１４】
【図１】本発明の地盤改良方法の一実施形態の概要を例示した断面図である。
【図２】図１に示した実施形態の平面図である。
【発明を実施するための形態】
【００１５】
本発明は、改良すべき地盤に、非排土式のドレーン施工機材によって複数のバーチカルドレーンを形成し、このバーチカルドレーンから地盤中の間隙水を排出する地盤改良方法であって、隣接するバーチカルドレーン同士の中間付近の地盤に、ドレーン施工機材によって長尺な空のケーシングパイプを鉛直方向に打設して周囲の地盤を加圧する工程を含む。
【００１６】
従来の工法では事前荷重はいずれも静的な荷重であったが、本発明の特徴の一つは、動的な事前荷重を併用する点にある。
【００１７】
以下、本発明の地盤改良方法の一実施形態について図面とともに説明する。図１は、本発明の地盤改良方法の一実施形態の概要を例示した断面図である。図２は、図１に示した実施形態の平面図である。
【００１８】
図１および図２に例示したように、この実施形態の地盤改良方法では、非排土式のドレーン施工機材（図示していない）によって、複数のバーチカルドレーン２を形成する。バーチカルドレーン２は、その内部の透水性材料が地盤１中の間隙水を透水することにより、地盤１中の水分を地盤外（地表面）に排出するものである。
【００１９】
従来と同様に、バーチカルドレーン２は、非排土式のドレーン施工機材（バーチカルドレーン打設機）を用いたバーチカルドレーン工法により形成することができる。具体的には、例えば、ドレーン施工機材によって、地表面から改良すべき軟弱な地盤１の下端近傍まで鉛直下方に長尺なケーシングパイプを打設し、このケーシングパイプ内部に砂やボード状の厚紙などの透水性材料を充填した後、ケーシングパイプを引き抜くことで、バーチカルドレーン２を形成することができる。また、この実施形態では、複数のバーチカルドレーン２が所定の間隔で形成されている。
【００２０】
さらに、この実施形態の地盤改良方法では、隣接するバーチカルドレーン２同士の中間付近の地盤１に、ドレーン施工機材によって空のケーシングパイプ３を鉛直方向に打設する。
【００２１】
ケーシングパイプ３は、上述したバーチカルドレーン２を形成する際に使用される中空かつ長尺な略円筒状の部材であり、例えば、先端側に開閉時自在な蓋などを備えていてよい。  この実施形態では、ケーシングパイプ３の鉛直方向の長さは、バーチカルドレーン２とほぼ等しく形成されており、ケーシングパイプ３の直径も、バーチカルドレーン２の直径とほぼ等しく形成されている。
【００２２】
ケーシングパイプ３を打設するためのドレーン施工機材は、バーチカルドレーン２を形成する際に使用したものと同じ非排土式の施工機材を使用することができる。また、このドレーン施工機材は、バイブロハンマーを備えていることが好ましい。この場合、地盤１にケーシングパイプ３を打設する際に、バイブロハンマーによる振動によってバーチカルドレーン２の周辺に地盤１中の水分を集めることができるため、バーチカルドレーン２からの水分の排出を促進することができ、地盤１の圧密速度を短縮することができる。
【００２３】
そして、図２に例示したように、これらバーチカルドレーン２およびケーシングパイプ３は、平面視において互い違いのマトリックス状（格子状）に配列されて設けられている。
【００２４】
この実施形態の地盤改良方法では、ドレーン施工機材を使用して地盤１に空のケーシングパイプ３を打設することで、その周囲の地盤１を加圧して事前荷重とすることができる。すなわち、ケーシングパイプ３の打設によって、十分な圧力を地盤１にほぼ一様に加えることができ、地盤１中の間隙水圧を上昇させることができるため、バーチカルドレーン２からの水分の排出が促進され、地盤１の圧密速度を速めることができる。
【００２５】
また、この実施形態の地盤改良方法では、バーチカルドレーン工法に使用されるケーシングパイプ３を地盤１に打設することで事前載荷重としているとともに、このケーシングパイプ３を打設するためのドレーン施工機材は、バーチカルドレーン２を形成する際に使用したものと同じ施工機材を使用することができる。したがって、プレロード（事前載荷重）のための盛土や別途の設備、特殊な材料などが不要であるため、施工コストを大幅に抑制することができ、施工期間も短縮することができる。
【００２６】
なお、図１、図２では、ケーシングパイプ３が地盤１中に打設された状態を例示しているが、空のケーシングパイプ３の打設によって地盤１中の間隙水圧を上昇させた後、直ちに引き抜くことができる。
【００２７】
本発明の地盤改良方法は、以上の実施形態に何ら限定されるものではない。例えば、上述した実施形態においては、複数のバーチカルドレーンとケーシングパイプとが、平面視において互い違いのマトリックス状に配置されているが、このような配置に限定されるものではない。すなわち、地盤へのケーシングパイプの打設によって周囲の地盤が加圧され、バーチカルドレーンからの水分の排出が促進されるような配置に適宜設計することができる。また、上述した実施形態においては、バーチカルドレーンとケーシングパイプの鉛直方向の長さをほぼ等しい長さとされているが、このような長さに限定されるものではなく、適宜設計することができる。
【符号の説明】
【００２８】
１  地盤
２  バーチカルドレーン
３  ケーシングパイプ 
【図１】
2020169534.tif 000003
【図２】
2020169534.tif 000004